【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
便座を暖房する手段と、用便後の局部を温水にて洗浄する手段と、前記洗浄後の局部を温風により乾燥させる手段を備えた衛生洗浄装置において、前記衛生洗浄装置に、投入する毎に便座温度と温水温度、温風温度を段階的に切替えるスイッチをそれぞれ１つずつ備えて構成したことを特徴とする衛生洗浄装置の温度設定装置。
【請求項２】
便座を暖房する手段と、用便後の局部を温水にて洗浄する手段と、前記洗浄後の局部を温水にて乾燥させる手段を備えた衛生洗浄装置において、前記衛生洗浄装置に、投入する毎に便座の温度を段階的に切替えるスイッチと、投入する毎に温水温度または温風温度のどちらか一方を段階的に切替えるスイッチをそれぞれ１つずつ備えて構成したことを特徴とする衛生洗浄装置の温度設定装置。
【請求項３】
前記温水，温風温度を切替えるスイッチは、乾燥動作中は温風温度を切替可能とし、乾燥動作が停止した状態では温水温度を切替可能としたことを特徴とする請求項２記載の衛生洗浄装置の温度設定装置。
【請求項４】
設定温度を切替えるスイッチが投入されることにより、灯火表示を変更する温度表示手段を備えて構成したことを特徴とする請求項１〜３のいずれか１項に記載の衛生洗浄装置の温度設定装置。
【請求項５】
前記設定温度を切替えるスイッチは、投入する毎に、便座，温水，温風の各温度をそれぞれ適温→低温→切→適温と順次切替えるように構成したことを特徴とする請求項４記載の衛生洗浄装置の温度設定装置。
【手続補正２】
【補正対象書類名】明細書
【補正対象項目名】０００８
【補正方法】変更
【補正の内容】
【０００８】
図１２は温水，便座，温風の温度調節を一対の上下温度設定スイッチ２２ａ，２２ｂにて行うものであり、温度制御対象である温水，便座，温風の切替は、切替スイッチ２３を押操作することによって、例えば、温水→便座→温風の順に切替えることができる。そして、前記切替スイッチ２３にて選択された温度制御対象は、それぞれ１つずつ備えられたセグメント２４〜２６を点灯させることにより、利用者に現在の温度制御対象が何であるかを認識させる。また、温水，便座，温風の各温度レベルは、温度が上昇するにしたがって、並列に複数個配置したセグメント２７の点灯数を増やすことによって面積表示する。
【手続補正３】
【補正対象書類名】明細書
【補正対象項目名】００１３
【補正方法】変更
【補正の内容】
【００１３】
また、図１１に示すように、温水，便座，温風の温度設定にボリュームを使用した場合、温度設定手段は温水温度設定ボリューム１６と便座温度設定ボリューム１７、温風温度設定ボリューム１８の３つですみ、設置スペースは縮小され、前記温水，便座，温風の温度レベルも前記ボリューム１６，１７，１８に設けた指針１６ａ，１７ａ，１８ａにて指示表示できるため、別にＬＥＤ等の灯火手段を必要としないなど、多くの利点を有するが、ボリューム自体が高価であるため、製造コストの低減はそれ程期待できず、また、温度レベルを指示する指針１６ａ，１７ａ，１８ａは、衛生洗浄装置が充分な明るさを有しないトイレ内に設置された場合、その指示位置が明確に判断しづらいといった問題があった。
【手続補正４】
【補正対象書類名】明細書
【補正対象項目名】００１６
【補正方法】変更
【補正の内容】
【００１６】
【問題を解決するための手段】請求項１記載の衛生洗浄装置の温度設定装置は、投入する毎に便座，温水，温風温度を段階的に切替えるスイッチをそれぞれ１つずつ備えて構成した。
【手続補正５】
【補正対象書類名】明細書
【補正対象項目名】００１７
【補正方法】変更
【補正の内容】
【００１７】
請求項２記載の衛生洗浄装置の温度設定装置は、投入する毎に便座の温度を段階的に切替えるスイッチと、投入する毎に温水温度または温風温度のどちらか一方を段階的に切替えるスイッチをそれぞれ１つずつ備えて構成した。
【手続補正６】
【補正対象書類名】明細書
【補正対象項目名】００２１
【補正方法】変更
【補正の内容】
【００２１】
本発明の衛生洗浄装置の温度設定装置は、温度制御対象の温度設定を各機能１つずつのスイッチで行うため、前記スイッチの設置スペースは少なくてすみ、装置を小型化することができる。その際、前記スイッチは小さく設計する必要もないため、前記スイッチの操作性を良好に保持することができる。
【手続補正７】
【補正対象書類名】明細書
【補正対象項目名】００２２
【補正方法】変更
【補正の内容】
【００２２】
また、本発明の温度設定装置は、温度制御対象の温度表示も各機能１つずつの表示手段にて行うことができるため、温度制御対象の温度表示を行うために多数の表示手段を用意する必要はなく、製造コストを低減することができる。
【手続補正８】
【補正対象書類名】明細書
【補正対象項目名】００３７
【補正方法】変更
【補正の内容】
【００３７】
さらに、本発明の衛生洗浄装置の温度設定装置は、洗浄水，便座，温風の温度設定をそれぞれ１つずつ備えたモーメンタリー式のスイッチ２８ａ，２８ｂ，２８ｃを押すことにより、適温→低温→切→適温と切替えて設定するようにし、前記洗浄水，便座，温風の設定温度は、各ＬＥＤ２９ａ，２９ｂ，２９ｃの灯火表示を、設定温度が切のときは消灯し、低温のときは点滅、適温のときは点灯するように構成したので、温度設定用のスイッチ類および温度表示用のＬＥＤの数を極力少なくすることができ、装置を小型化することができるとともに、製造コストを低減することができる。
【手続補正９】
【補正対象書類名】明細書
【補正対象項目名】００４１
【補正方法】変更
【補正の内容】
【００４１】
前記ステップＳ６４で衛生洗浄装置が乾燥動作中にある場合は、ステップＳ６５に移行して、温風の設定温度を、温水・温風温度設定スイッチ２８ｄを押すことによって選択した温度に設定する。また、前記ステップＳ６４で衛生洗浄装置が乾燥動作中にない場合は、ステップＳ６６において洗浄水の温度を、前記温水・温風温度設定スイッチ２８ｄを押して選択した温度に設定する。これは、前記局部洗浄動作と乾燥動作を同時に行うことがないことにより実現可能となることであり、第１実施例のように洗浄水の温度を設定するスイッチと温風の温度を設定するスイッチを別々に１つずつ設ける必要はなく、部品点数をさらに削減することができる。
【手続補正１０】
【補正対象書類名】明細書
【補正対象項目名】００４７
【補正方法】変更
【補正の内容】
【００４７】
【発明の効果】請求項１記載の衛生洗浄装置の温度設定装置は、便座や洗浄水，温風の温度を設定するスイッチを各１つずつ備え、前記スイッチを押すたびに前記便座や洗浄水，温風の温度を段階的に切替えることができるように構成したので、前記スイッチの数は少なくてすみ、設置スペースを縮小することができるとともに、装置を小型化することができ、利便である。
【手続補正１１】
【補正対象書類名】明細書
【補正対象項目名】００５０
【補正方法】変更
【補正の内容】
【００５０】
請求項４記載の衛生洗浄装置の温度設定装置は、洗浄水，便座，温風の温度表示をＬＥＤの灯火パターンを変化させることにより識別可能に構成したので、ＬＥＤの数は温度制御対象に対し１つずつ用意すればよく、製造コストおよび設置スペースの削減を実現することができる。